(57)【要約】【課題】  容易にかつ確実に正しく装着することが可能な、テニスラケット、ソフトテニスラケット、バドミントンラケット、ゴルフクラブ、バットなどのスポーツ用具の、グリップの正しい握り方の習得、及び間違った握り方を矯正するためのグリップの矯正カバーを提供することを目的とする。【解決手段】  表面に突起及び凹みを設けたグリップの矯正カバーの表面にグリップへの取付角度を示すインジケータを設けて、正しい位置に本発明のグリップの矯正カバーを装着することを可能とした。また、裏面全面に複数の半球状の凹みを設けグリップへの吸着効果、打球時の衝撃吸収効果を得たり、表面に滑り止め加工を施したことで、プレイ中の掌の汗による脱落の防止による安全性、側面を長手方向に切開したことによる容易な装着性、切開されている部分を更に切断することによるフィット性の向上を実現し、極めて優れた効果を奏するグリップの矯正カバーを提供することを可能とした。【選択図】図１
2008104819.tif 000002
【特許請求の範囲】
【請求項１】
スポーツ用具のグリップに装着し、表面に突起及び凹みを設けたグリップの矯正カバーにおいて、グリップの矯正カバーの表面に位置を示すインジケーターを設けたことを特徴とするグリップの矯正カバー。
【請求項２】
グリップの矯正カバーの裏面全面に複数の半球状の凹みを設けたことを特徴とするグリップの矯正カバー。
【請求項３】
グリップの矯正カバーの表面に滑り止め加工を施したことを特徴とする請求項１び２に記載のグリップの矯正カバー。
【請求項４】
グリップの矯正カバーの側面が長手方向に切開されていることを特徴とする請求項１乃至３に記載のグリップの矯正カバー。
【請求項５】
前記切開されている部分を、該切開部分と平行に切断することを特徴とする請求項１乃至４に記載のグリップの矯正カバー。
【発明の詳細な説明】
【技術分野】
【０００１】  本発明は、テニスラケット、ソフトテニスラケット、バドミントンラケット、ゴルフクラブ、バットなどのスポーツ用具の、グリップの正しい握り方を習得したり、間違った握り方を矯正するためのグリップの矯正カバーに関する。
【背景技術】
【０００２】  従来、テニスラケット、ソフトテニスラケット、バドミントンラケット、ゴルフクラブ、バットなどのスポーツ用具を使用する初心者プレイヤーが正しい握り方を習得するためや、間違った握り方をしているプレイヤーの握り方を矯正するために、グリップに突起や凹みを設けて、指や掌が前記突起に当接したり凹みに入り込むようにしたものがある。初心者プレイヤーや、間違った握り方をしているプレイヤーは、これら突起や凹みが設けられたグリップを握ることで、前記突起や凹みに自然に指や掌が導かれ、正しい握り方を習得したり矯正することが可能となる。【０００３】  これらの突起や凹みが設けられたグリップは、特許文献１に開示されるスポーツ用具のグリップのように、グリップ自体の表面にあらかじめ突起や凹みを設けたものや、特許文献２に開示されるグリップ用ゴム組成体のように、表面に突起や凹みを設けた筒状体をグリップに嵌めて装着するもの。特許文献３に開示される練習用ゴルフクラブのグリップカバーのように、表面に突起や凹みを設けた筒状体でその長手方向が切開され、グリップに被せて装着するものがよく知られている。【０００４】
【特許文献１】  実開昭５９−１２４５６４号
【特許文献２】  特開２００１−１６２９８５号
【特許文献３】  実開昭５０−１１３５７１号
【発明の開示】
【発明が解決しようとする課題】
【０００５】  ところで、前記した特許文献１に開示されるスポーツ用具にあっては、あらかじめグリップに突起や凹みが設けられてしまっているので、正しい握り方を習得あるいは矯正後は、不必要なものであり、逆に技術の向上を妨げることになるという問題があった。【０００６】  特許文献２に開示されるグリップ用ゴム組成体のように、表面に突起や凹みを設けた筒状体をグリップに嵌めて装着するものにあっては、抜け防止と確実にグリップに装着するためにグリップの径よりも若干細めに形成される。このようなものでは、グリップの全長の一部に装着するような短いものであれば比較的容易に嵌めることが可能であるが、グリップの全長にわたって装着するような長いものの場合は、装着に相当の力と手間を要するとともに、無理をして嵌めることでグリップを痛めてしまうこともある。容易に嵌めるためには、石けん水などをグリップに塗って嵌めることが考えられるが、抜け易くなることや、回ってしまうなどの不具合の要因となっている。
また、装着する際は、ゴルフクラブの先端部の打球面の向きに対して、おおよそこの位の位置であろうという角度に設定するが、正しい位置にグリップ用ゴム組成体を取り付けないと正しくショットすることができないばかりか技術向上の妨げになるという問題があった。【０００７】  特許文献３に開示される練習用ゴルフクラブのグリップカバーにあっては、表面に突起や凹みを設けた筒状体でその長手方向が切開され、グリップに被せて装着する。このような場合は、単に切開部分を広げてグリップに装着し、握ったときの握力によりグリップと密着することになる。従って握り方が弱い場合などは不意にゴルフクラブやテニスラケットなどが抜けて飛び出す危険性がある。このような特許文献３と同様な先行技術は、多々あるがベルトを用いたりして装着を確実なものとしている。また、前記特許文献２の課題と同様に、ゴルフクラブの打球面の向きに対して、正しい位置にグリップ用ゴム組成体を取り付けないと正しいショットができずに、技術向上の妨げになるといった問題があった。このことは、ゴルフクラブ以外のグリップを有するスポーツ用具に装着する際においても、打球面と装着角度を間違うと同様な問題が生じる。【０００８】  そこで、本発明は上記した課題を考慮し、容易にかつ確実に正しく装着することが可能なグリップの矯正カバーを提供することを目的とするものである。
【課題を解決するための手段】
【０００９】  かかる課題を解決するために、本発明の請求項１によれば、スポーツ用具のグリップに装着し、表面に突起及び凹みを設けたグリップの矯正カバーにおいて、
グリップの矯正カバーの表面に位置を示すインジケーターを設けたことで解決される。【００１０】  請求項２によれば、グリップの矯正カバーの裏面全面に複数の半球状の凹みを設けたことで解決される。【００１１】  請求項３によれば、グリップの矯正カバーの表面に滑り止め加工を施したことで解決される。【００１２】  請求項４によれば、グリップの矯正カバーの側面が長手方向に切開されていることで解決される。【００１３】  請求項５によれば、前記切開されている部分を、該切開部分と平行に切断することで解決される。
【発明の効果】
【００１４】  本発明のグリップの矯正カバーは、スポーツ用具のグリップに装着し、表面に突起及び凹みを設けたグリップの矯正カバーの表面にグリップへの取付角度を示すインジケーターを設けたので、インジケーターとスポーツ用具の打球面が同一面上にあるように装着することにより、正しい位置に本発明のグリップの矯正カバーを装着することが可能となるとともに、表面に設けられた突起や凹みにより正しいグリップに握り方を習得あるいは矯正することができ、更にいろいろな目的別（テニスであれば、ストローク、サービス、ボレーなど）に、グリップへの装着角度を変更することにより、容易に目的別の握り方の習得が可能となった。【００１５】  また、グリップの矯正カバーの裏面全面にゴルフボールの表面に見られるような複数の半球状の凹み（ゴルフボールでいうところのディンプル）を複数設けたので、グリップへの吸着効果が得られ確実な装着が可能となるとともに、グリップを握った際に半円状の凹みにより、クッション性が高まり、打球時の衝撃吸収効果を得ることが可能となった。【００１６】  また、グリップの矯正カバーの表面に滑り止め加工を施したことで、プレイ中の掌の汗による滑りを防止し、スポーツ用具の確実なスウィングやストロークが可能となり、かつ安全性を向上することが可能となった。【００１７】  また、グリップの矯正カバーの側面が長手方向に切開されているので前記請求項１乃至３と合わせてきわめて容易に確実にかつ正しくグリップに装着することが可能となり、正しいグリップの握り方の習得後や矯正後は、グリップから外すことで技術の向上をはかることが可能になるなど極めて優れた効果を奏するグリップの矯正カバーを提供することが可能となったものである。【００１８】  また、前記切開されている部分を、長手方向と平行に切断してグリップの矯正カバーの直径方向の寸法を小さくすることで、使用者のグリップの太さに合わせて装着具合を調整することができ、請求項１乃至４と合わせて、きわめて容易に確実にかつ正しくグリップに装着することが可能となった。
【発明を実施するための最良の形態】
【００１９】  次に、本発明のグリップの矯正カバーについて、図面を参照して詳細に説明する。また、図面は、ソフトテニスラケットに本発明のグリップの矯正カバーを適用した例を示す。第１の実施例において、図１は本発明のグリップの矯正カバーの全体図で、筒状の本体（１）、複数の突起（２）からなる。図２は本体（１）をソフトテニスラケットに装着した状態を示し、Ａが正面図、Ｂが右側面図である。Ｂの右側面図は使用者がソフトテニスラケットのグリップを握った際に丁度手前側に見える面である。本体（１）は、エラストマー、シリコンなどの弾性体で筒状に成形され、ソフトテニスラケットのグリップエンド（グリップの端部）から嵌めて装着する。複数の突起（２）は、グリップを正しく握ったときの指の間隙部分に合わせて複数設けてあり、使用者が握ると自然に上側の突起（２）の斜面（２ａ）に親指の内側が当接し、下側の突起（２）の斜面（２ｂ）には人差し指の掌側が当接して、正しい握り方を習得あるいは矯正することができる。【００２０】  また、本体（１）のガット面（６ｂ）（打球面）側の端部近傍上部には、矢印形状のインジケータ（３）を設けた。図２のＢ右側面図に示すようにソフトテニスラケット（６）のフレーム（６ｃ）の中心線の延長線上にインジケータ（３）を合わせることで容易にガット面に対して正しい向きに本体（１）を装着することができるのである。いくらグリップの正しい握り方を習得矯正できるとはいえ、ガット面に対して正しい位置（角度）に装着しない限り、何ら技術向上の効果を得られるものではない。前記突起（２）とともに、ガット面に対して正しい向き（角度）に装着することで、正しいグリップの握り方を習得矯正することが初めて可能となるものである。このことはソフトテニスラケット以外のグリップを有するスポーツ用具全般にいえることである。インジケータ（３）はスポーツ用具の打球面に対しての正しい位置に設定できれば良いので、本体に印刷や、ラベルで表しても良いし、凸あるいは凹の刻印で表しても良い。また、形状は位置を合わせることができればよいので、丸、角、人物や動物を模したキャラクタでもよい。【００２１】  第２の実施例では、本体（１）裏面全面にゴルフボールの表面に見られるような複数の半球状の凹み（４）を設けた。これはゴルフボールでいうところのディンプルを想像すればわかりやすく、多数の半球状の凹み（４）によりグリップへの吸着効果が得られ確実な装着が可能となるとともに、グリップを握った際のクッション性が高まることで、打球時の衝撃吸収効果をも得ることが可能となったものである。【００２２】  第３の実施例では、本体（１）の表面に滑り止め加工を施した。具体的にはエラストマー、シリコンなどの弾性体からなる本体（１）の表面に掌に汗をかいた状態でも滑りづらい材質や組成の塗装あるいはコーティング、塗装やコーティングを行うことで自然にエンボス状の表面状態を呈する材料を適宜選択して表面に処理を行えばよい。これにより、プレイ中の掌の汗による滑りを防止し、スポーツ用具の確実なスウィングやストロークが可能となり、かつ安全性を向上することが可能となったものである。【００２３】  第４の実施例では、図３に示すように��体（１）の側面を長手方向に切開した切開部（５）を設けた。グリップに装着する際は、切開部（５）を広げてグリップに被せれば良い。そして図示しないが長手方向の前後の端部に幅広（１０ｍｍ程度）のシリコンなどの環状ベルトを用いて止着固定する。これにより前記第１から第３の実施例と合わせてきわめて容易に確実にかつ正しくグリップに装着することが可能となり、正しいグリップの握り方の習得後や矯正後は、グリップから外すことで技術の向上をはかることが可能となったものである。【００２４】  第５の実施例では、図４に示すように前記切開部（５）を例えば（５ａ）の位置で切開部（５）と平行に切断することで、使用者のグリップの太さに合わせて装着具合を調整することができるようにした。図４のＡはソフトテニスラケット（６）のグリップ（６ａ）に対して本体（１）が大きくてフィットしていない状態を示している。同ＢはＡに示す（５ａ）部を切断したことでグリップ（６ａ）にフィットした状態を示すものである。これにより前記第１から第４の実施例と合わせて、きわめて容易に確実にかつ正しくグリップに装着することが可能となった。【００２５】  以上のように構成された本発明のグリップの矯正カバーは、きわめて容易に確実にかつ正しくグリップに装着することが可能となり、正しいグリップの握り方の習得後や矯正後は、グリップから外すことで技術の向上をはかることが可能になるなど極めて優れた効果を奏するグリップの矯正カバーを提供することが可能となったものである。
【図面の簡単な説明】
【００２６】
【図１】本発明のグリップの矯正カバーの全体図である。
【図２】スポーツ用具に取り付けた状態を示す図である。
【図３】本発明の第４及び第５の実施例を示す図である。
【図４】第５の実施例の説明図である。
【符号の説明】
【００２７】    １    本体
２    突起
２ａ，２ｂ  斜面
３    インジケータ
４    半球状の凹み
５    切開部
５ａ  切断部
６    ソフトテニスラケット
６ａ  グリップ
６ｂ  ガット面（打球面）
６ｃ  フレーム
【図１】
2008104819.tif 000003
【図２】
2008104819.tif 000004
【図３】
2008104819.tif 000005
【図４】
2008104819.tif 000006